(57)【要約】【課題】コンピュータに対して再起動及びパワーオン／オフテストを自動的に行なうシステムを提供すること。【解決手段】再起動スイッチが押圧されると、再起動サイクルモジュールは、制御信号を受信して、第一コネクタ及び第二コネクタを介して再起動回路に低レベルの電気信号を出力し、再起動回路によりテスト対象のマザーボードを再起動させ、マザーボードが１回の再起動動作を完了すると、再起動回路はカウントモジュールに完成信号を出力し、カウントモジュールは、一回カウントし、且つカウントして得た数値をデコードモジュールにより解読させた後、表示パネルにより表示させ、再起動サイクルモジュールは、一つ前の再起動サイクルが終わった後、再起動回路に再び低レベルの電気信号を出力し、再起動回路によりマザーボードを再起動させ、且つ再起動テストの全てのテスト回数が完了した後に停止する。【選択図】図２
2013225309.tif 000002
【特許請求の範囲】
【請求項１】
テスト装置及びテスト対象のマザーボードを備えるコンピュータに対して再起動テスト及びパワーオン／オフテストを行なうシステムであって、
前記テスト装置は、再起動スイッチと、パワーオン／オフスイッチと、再起動サイクルモジュールと、パワーオン／オフサイクルモジュールと、第一コネクタと、カウントモジュールと、デコードモジュールと、表示パネルと、電源ユニットと、を備え、前記再起動サイクルモジュールは、前記マザーボードの再起動回数及び再起動サイクルを設定するために用いられ、前記パワーオン／オフサイクルモジュールは、前記マザーボードのオンテスト回数、オフテスト回数、オンサイクル及びオフサイクルを設定するために用いられ、
前記再起動スイッチは、前記再起動サイクルモジュールを介して前記第一コネクタの第一ピンに接続され、前記パワーオン／オフスイッチは、前記パワーオン／オフサイクルモジュールを介して前記第一コネクタの第二ピンに接続され、前記電源ユニットは、前記第一コネクタの第五ピンに接続され、且つ前記第一コネクタにより受信した電圧を前記テスト装置の動作電圧に変換した後、当該テスト装置に供給し、前記カウントモジュールは、前記第一コネクタの第三及び第四ピンに接続されると共に、前記デコードモジュールを介して前記表示パネルに接続され、
前記マザーボードは、前記テスト装置の前記第一コネクタに接続される第二コネクタと、電源回路と、再起動回路と、プラットフォームコントローラと、パワーオン／オフ回路と、を備え、前記再起動回路は、前記第二コネクタの第一ピンに接続され、前記パワーオン／オフ回路は、前記第二コネクタの第二ピンに接続され、前記電源回路は、電源及び前記第二コネクタの第三ピンに接続され、且つ前記電源から受信した電圧を変換した後、前記第一コネクタ及び前記第二コネクタを介して前記テスト装置の前記電源ユニットに伝送し、前記プラットフォームコントローラの第一ピン及び第二ピンは、前記再起動回路及び前記パワーオン／オフ回路にそれぞれ接続され、前記プラットフォームコントローラの第三ピン及び第四ピンは、前記第二コネクタの第四ピン及び第五ピンにそれぞれ接続され、
前記再起動スイッチが押圧されると、前記再起動サイクルモジュールは、制御信号を受信し、且つ前記第一コネクタ及び前記第二コネクタを介して、前記再起動回路に低レベルの電気信号を出力し、前記再起動回路により前記マザーボードを再起動させ、前記マザーボードが１回の再起動を完了した後、前記再起動回路は前記プラットフォームコントローラを介して、前記カウントモジュールに完成信号を出力し、前記カウントモジュールは、一回カウントし、且つカウントして得た数値を前記デコードモジュールにより解読させた後、前記表示パネルにより表示させ、前記再起動サイクルモジュールは、一つ前の再起動サイクルが終了すると、前記再起動回路に再び低レベルの電気信号を出力し、前記再起動回路により前記マザーボードを再起動させ、且つ再起動テストの全てのテスト回数が完了した後に停止し、
前記パワーオン／オフスイッチが押圧されると、前記パワーオン／オフサイクルモジュールは、制御信号を受信し、且つ前記第一コネクタ及び前記第二コネクタを介して、前記パワーオン／オフ回路に低レベルの電気信号を出力し、前記パワーオン／オフ回路により前記マザーボードをオンにし、前記マザーボードが１回のオン動作を完了すると、前記パワーオン／オフ回路は、前記プラットフォームコントローラを介して、前記カウントモジュールに完成信号を出力し、前記カウントモジュールは、一回カウントし、且つカウントして得た数値を、前記デコードモジュールにより解読させた後、前記表示パネルに表示させ、前記パワーオン／オフサイクルモジュールは、一つ前のオンサイクルが終了すると、前記パワーオン／オフ回路に再び低レベルの電気信号を出力し、前記パワーオン／オフ回路により前記マザーボードをオフにし、
また、前記マザーボードが１回のオフ動作を完了すると、前記パワーオン／オフ回路は、前記プラットフォームコントローラを介して、前記カウントモジュールに完成信号を出力し、前記カウントモジュールは、一回カウントし、且つカウントして得た数値を、前記デコードモジュールにより解読させた後、前記表示パネルに表示させ、前記パワーオン／オフサイクルモジュールは、一つ前のオフサイクルが終了すると、前記パワーオン／オフ回路に再び低レベルの電気信号を出力し、前記パワーオン／オフ回路により前記マザーボードをオンにし、このようにして、予定のオンテスト及びオフテストのテスト回数が完了した後に停止することを特徴とするコンピュータに対して再起動テスト及びパワーオン／オフテストを行なうシステム。
【請求項２】
前記再起動スイッチ、前記パワーオン／オフスイッチ及び前記表示パネルは、前記テスト装置の本体の表面にそれぞれ設けられることを特徴とする請求項１に記載のコンピュータに対して再起動テスト及びパワーオン／オフテストを行なうシステム。
【発明の詳細な説明】
【技術分野】
【０００１】
本発明は、コンピュータに対して再起動テスト及びパワーオン／オフテストを行なうシステムに関するものである。
【背景技術】
【０００２】
従来から、コンピュータにおいて、何度もパワーオン／オフする或いは再起動することで、表示できない或いは諧調等の問題が発生している。従って、これらを防止するために、一般的には、コンピュータを出荷する前に、先ずコンピュータに対してパワーオン／オフテスト及び再起動テストを何度も行なわなければならない。
【０００３】
一般のテスト方法は、作業員が手動によってコンピュータを何度もパワーオン／オフさせる或いは何度も再起動（例えば１０００回）させることによって、コンピュータシステムのパワーオン／オフ或いは再起動動作が正常であるかどうかを検出する。しかし、このような手動による検出方法は、効率が低く、テストの信頼性も低い。
【発明の概要】
【発明が解決しようとする課題】
【０００４】
以上の問題点に鑑みて、本発明は、コンピュータに対して再起動及びパワーオン／オフテストを自動的に行なうことができるシステムを提供することを目的とする。
【課題を解決するための手段】
【０００５】
上記の課題を解決するために、本発明に係るコンピュータに対する再起動テスト及びパワーオン／オフテストを行なうシステムは、テスト装置及びテスト対象のマザーボードを備える。前記テスト装置は、再起動スイッチと、パワーオン／オフスイッチと、再起動サイクルモジュールと、パワーオン／オフサイクルモジュールと、第一コネクタと、カウントモジュールと、デコードモジュールと、表示パネルと、電源ユニットと、を備え、前記再起動サイクルモジュールは、前記マザーボードの再起動回数及び再起動サイクルを設定するために用いられ、前記パワーオン／オフサイクルモジュールは、前記マザーボードのオンテスト回数、オフテスト回数、オンサイクル及びオフサイクルを設定するために用いられる。前記再起動スイッチは、前記再起動サイクルモジュールを介して、前記第一コネクタの第一ピンに接続され、前記パワーオン／オフスイッチは、前記パワーオン／オフサイクルモジュールを介して、前記第一コネクタの第二ピンに接続され、前記電源ユニットは、前記第一コネクタの第五ピンに接続され、且つ前記第一コネクタにより受信した電圧を前記テスト装置の動作電圧に変換した後、当該テスト装置に供給し、前記カウントモジュールは、前記第一コネクタの第三及び第四ピンに接続されると共に、前記デコードモジュールを介して前記表示パネルに接続される。前記マザーボードは、前記テスト装置の前記第一コネクタに接続される第二コネクタと、電源回路と、再起動回路と、プラットフォームコントローラと、パワーオン／オフ回路と、を備え、前記再起動回路は、前記第二コネクタの第一ピンに接続され、前記パワーオン／オフ回路は、前記第二コネクタの第二ピンに接続され、前記電源回路は、電源及び前記第二コネクタの第三ピンに接続され、且つ前記電源から受信した電圧を変換した後、前記第一コネクタ及び前記第二コネクタを介して、前記テスト装置の前記電源ユニットに伝送し、前記プラットフォームコントローラの第一ピン及び第二ピンは、前記再起動回路及び前記パワーオン／オフ回路にそれぞれ接続され、前記プラットフォームコントローラの第三ピン及び第四ピンは、前記第二コネクタの第四ピン及び第五ピンにそれぞれ接続される。前記再起動スイッチが押圧されると、前記再起動サイクルモジュールは、制御信号を受信し、且つ前記第一コネクタ及び前記第二コネクタを介して、前記再起動回路に低レベルの電気信号を出力し、前記再起動回路により前記マザーボードを再起動させ、前記マザーボードが１回の再起動動作を完了すると、前記再起動回路は前記プラットフォームコントローラを介して、前記カウントモジュールに完成信号を出力し、前記カウントモジュールは、一回カウントし、且つカウントして得た数値を、前記デコードモジュールにより解読させた後、前記表示パネルにより表示させ、前記再起動サイクルモジュールは、一つ前の再起動サイクルが終了すると、前記再起動回路に再び低レベルの電気信号を出力し、前記再起動回路により前記マザーボードを再起動させ、且つ再起動テストの全てのテスト回数が完成した後に停止する。前記パワーオン／オフスイッチが押圧されると、前記パワーオン／オフサイクルモジュールは、制御信号を受信し、且つ前記第一コネクタ及び前記第二コネクタを介して、前記パワーオン／オフ回路に低レベルの電気信号を出力し、前記パワーオン／オフ回路により前記マザーボードをオンさせ、前記マザーボードが１回のオン動作を完了すると、前記パワーオン／オフ回路は、前記プラットフォームコントローラを介して、前記カウントモジュールに完成信号を出力し、前記カウントモジュールは、一回カウントし、且つカウントして得た数値を、前記デコードモジュールにより解読させた後、前記表示パネルに表示させ、前記パワーオン／オフサイクルモジュールは、一つ前のオンサイクルが終了すると、前記パワーオン／オフ回路に再び低レベルの電気信号を出力し、前記パワーオン／オフ回路により前記マザーボードをオフする。また、前記マザーボードが１回のオフ動作を完了すると、前記パワーオン／オフ回路は、前記プラットフォームコントローラを介して、前記カウントモジュールに完成信号を出力し、前記カウントモジュールは、一回カウントし、且つカウントして得た数値を前記デコードモジュールにより解読させた後、前記表示パネルに表示させ、前記パワーオン／オフサイクルモジュールは、前のオフサイクルが終了すると、前記パワーオン／オフ回路に再び低レベルの電気信号を出力し、前記パワーオン／オフ回路により前記マザーボードをオンにし、このようにして、予定のオンテスト及びオフテストのテスト回数が完了した後に停止する。
【発明の効果】
【０００６】
従来の技術と異なり、本発明に係るコンピュータに対する再起動テスト及びパワーオン／オフテストを行なうシステムは、テスト装置を介してテスト対象のマザーボードに対して、再起動テスト及びパワーオン／オフテストを自動的に行ない、且つテストが完了するたびに、表示パネルを介してテスト結果を表示するため、非常に便利であり、テストの効率及び信頼性も向上される。
【図面の簡単な説明】
【０００７】
【図１】本発明の実施形態に係るコンピュータに対して再起動テスト及びパワーオン／オフテストを行なうシステムのテスト対象のマザーボードの内部構成を機能的に表すブロック図である。
【図２】本発明の実施形態に係るコンピュータに対して再起動テスト及びパワーオン／オフテストを行なうシステムのテスト装置の内部構成を機能的に表すブロック図である。
【発明を実施するための形態】
【０００８】
図１及び図２に示すように、本発明の実施形態に係るコンピュータに対して再起動テスト及びパワーオン／オフテストを行なうシステムは、テスト装置１００及びテスト対象のマザーボード２００を備える。
【０００９】
テスト装置１００は、再起動スイッチ１１０と、パワーオン／オフスイッチ１２０と、再起動サイクルモジュール（ｒｅｓｅｔ  ｃｙｃｌｅ  ｍｏｄｕｌｅ）１３０と、パワーオン／オフサイクルモジュール１４０と、コネクタ１５０と、電源ユニット１６０と、カウントモジュール１７０と、デコードモジュール１８０と、表示パネル１９０と、を備える。操作及び観察を便利にするために、再起動スイッチ１１０、パワーオン／オフスイッチ１２０及び表示パネル１９０は、テスト装置１００の本体の表面にそれぞれ設けられている。再起動サイクルモジュール１３０は、マザーボード２００の再起動回数及び再起動サイクルを設定することに用いられる。例えば、マザーボード２００の再起動回数を１０００回に設定し、この時、マザーボード２００は、毎回再起動する際に５０秒を必要とするならば、マザーボード２００の再起動サイクルを５０秒より長く（例えば、１分間）設定する。パワーオン／オフサイクルモジュール１４０は、マザーボード２００のオンテスト回数、オフテスト回数、オンサイクル及びオフサイクルを設定することに用いられる。例えば、マザーボード２００のオンテスト回数及びオフテスト回数をそれぞれ１０００回に設定し、この時、マザーボード２００の毎回のオン動作及びオフ動作はそれぞれ６０秒を必要とするならば、パワーオン／オフサイクルモジュール１４０は、マザーボード２００のオンサイクル及びオフサイクルをそれぞれ６０秒より長く（例えば、７０秒）設定する。
【００１０】
再起動スイッチ１１０は、再起動サイクルモジュール１３０を介して、コネクタ１５０のピン１に接続される。パワーオン／オフスイッチ１２０は、パワーオン／オフサイクルモジュール１４０を介して、コネクタ１５０のピン２に接続される。カウントモジュール１７０は、コネクタ１５０のピン３及びピン４に接続されると共に、デコードモジュール１８０を介して、表示パネル１９０に接続される。電源ユニット１６０は、コネクタ１５０のピン５に接続され、且つコネクタ１５０により受信した電圧を、テスト装置１００の動作電圧に変換した後、テスト装置１００に供給する。
【００１１】
マザーボード２００は、コネクタ２１０と、電源回路２２０と、再起動回路２３０と、パワーオン／オフ回路２４０と、プラットフォームコントローラ２５０と、を備える。本実施形態において、マザーボード２００に含まれる他の電子部品は、一般のマザーボードに設けられた電子部品と同じであるので、ここでの詳しい説明は省略する。
【００１２】
再起動回路２３０は、コネクタ２１０のピン１１及びプラットフォームコントローラ２５０のピン１に接続される。パワーオン／オフ回路２４０は、コネクタ２１０のピン２２及びプラットフォームコントローラ２５０のピン２に接続される。プラットフォームコントローラ２５０のピン３、４は、コネクタ２１０のピン３３、４４にそれぞれ接続される。電源回路２２０は、電源（図示せず）及びコネクタ２１０のピン５５に接続され、且つコネクタ１５０がコネクタ２１０に接続されると、ピン５５及びピン５を介して、テスト装置１００の電源ユニット１６０に電圧を伝送する。
【００１３】
以下、図１及び図２を併せて参照しながら、本発明のコンピュータに対して再起動テスト及びパワーオン／オフテストを行なうシステムを利用して、コンピュータのシステムをテストする場合のステップ及び動作原理について詳細に説明する。
【００１４】
先ず、テスト装置１００のコネクタ１５０をマザーボード２００のコネクタ２１０に接続する。つまり、コネクタ１５０のピン１〜５をコネクタ２１０のピン１１、２２、３３、４４及び５５にそれぞれ対応して接続させる。これにより、電源回路２２０は、前記電源からの電圧を変換した後に、コネクタ２１０のピン５５及びコネクタ１５０のピン５を介して、テスト装置１００の電源ユニット１６０に伝送し、電源ユニット１６０によって、テスト装置１００に動作電圧を供給する。
【００１５】
一方、再起動スイッチ１１０を押圧すると、再起動サイクルモジュール１３０は、制御信号を受信し、且つコネクタ１５０のピン１及びコネクタ２１０のピン１１を介して、再起動回路２３０に低レベルの電気信号を出力する。再起動回路２３０は、受信した低レベルの電気信号に基づいて、マザーボード２００を再起動させ、且つ完全に再起動した後にプラットフォームコントローラ２５０を制御して、コネクタ２１０のピン３３及びコネクタ１５０のピン３を介して、カウントモジュール１７０に完成信号を出力する。次いで、カウントモジュール１７０は、一回カウントし、このカウントモジュール１７０がカウントして得た数値は、デコードモジュール１８０により解読された後、表示パネル１９０により表示される。これにより、テスト過程において異常が発生した場合、ユーザーは、表示パネル１９０を介して、既に完了したテストの回数を観察することができる。
【００１６】
１つの再起動テストサイクルが完了（例えば、１分間に達する）すると、再起動サイクルモジュール１３０は、低レベルの電気信号を再び出力して、マザーボード２００を制御して、マザーボード２００に対して再起動テストを再び行なう。前記テストシステムは、これによって類推して、予め設定された再起動テストの全てのテスト回数が完了した後に停止する。
【００１７】
他方、パワーオン／オフスイッチ１２０を押圧すると、パワーオン／オフサイクルモジュール１４０は、制御信号を受信し、且つコネクタ１５０のピン２及びコネクタ２１０のピン２２を介して、パワーオン／オフ回路２４０に低レベルの電気信号を出力する。パワーオン／オフ回路２４０は、受信した低レベルの電気信号に基づいて、マザーボード２００を起動させ、且つオン動作が完了すると、プラットフォームコントローラ２５０を制御して、コネクタ２１０のピン４４及びコネクタ１５０のピン４を介して、カウントモジュール１７０に完成信号を出力する。次いで、カウントモジュール１７０は、一回カウントする。カウントモジュール１７０がカウントして得た数値は、デコードモジュール１８０により解読された後、表示パネル１９０により表示される。これにより、テスト過程において異常が発生した場合、ユーザーは、表示パネル１９０を介して既に完了したテストの回数を観察することができる。
【００１８】
一つ前のオンテストのサイクルが終了する（例えば、７０秒に達する）と、パワーオン／オフサイクルモジュール１４０は、パワーオン／オフ回路２４０に低レベルの電気信号を再び出力する。パワーオン／オフ回路２４０は、受信した低レベルの電気信号に基づいて、マザーボード２００をオフし、且つオフ動作が完了すると、プラットフォームコントローラ２５０を制御して、コネクタ２１０のピン４４及びコネクタ１５０のピン４を介して、カウントモジュール１７０に完成信号を出力する。次いで、カウントモジュール１７０は、一回カウントする。カウントモジュール１７０がカウントして得た数値は、デコードモジュール１８０により解読された後、表示パネル１９０により表示される。これにより、テスト過程において異常が発生した場合、ユーザーは、表示パネル１９０を介して既に完了したテストの回数を観察することができる。
【００１９】
一つ前のオフテストのサイクルが終了する（例えば、７０秒に達する）と、パワーオン／オフサイクルモジュール１４０は、低レベルの電気信号を再び出力して、マザーボード２００を起動させて、マザーボード２００に対するオンテストを開始する。前記テストシステムは、これによって類推して、オンテスト及びオフテストの全てのテスト回数（例えば１０００回）が完了した後に停止する。
【００２０】
上記の実施形態から分かるように、本発明に係るコンピュータに対して再起動テスト及びパワーオン／オフテストを行なうシステムは、テスト装置１００を介してテスト対象のマザーボード２００に対して、再起動テスト及びパワーオン／オフテストを自動的に行ない、且つテストが完了するたびに、表示パネル１９０を介してテスト結果を表示するため、非常に便利であり、テストの効率及び信頼性も向上する。
【００２１】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００２２】
１００      テスト装置
１１０      再起動スイッチ
１２０      パワーオン／オフスイッチ
１３０      再起動サイクルモジュール
１４０      パワーオン／オフサイクルモジュール
１５０、２１０      コネクタ
１６０      電源ユニット
１７０      カウントモジュール
１８０      デコードモジュール
１９０      表示パネル
２００      テスト対象のマザーボード
２２０      電源回路
２３０      再起動回路
２４０      パワーオン／オフ回路
２５０      プラットフォームコントローラ
【図１】
2013225309.tif 000003
【図２】
2013225309.tif 000004